(57)【要約】【課題】器具本体の側方の全周囲に亘る配光を得ることが可能な照明器具を提供する。【解決手段】器具本体３に発光素子を備えた照明器具１において、器具本体３は柱体２２を備え、柱体２２の側面には、周方向に複数の発光素子を取り付け、柱体２２の下部に、錘台状の反射鏡１７を設けるとともに、柱体２２の上部に、平面反射板１８を設ける構成とする。【選択図】図３
2015167089.tif 000002
【特許請求の範囲】
【請求項１】
器具本体に発光素子を備えた照明器具において、
前記器具本体は柱体を備え、
前記柱体の側面には、周方向に複数の発光素子を取り付け、
前記柱体の下部に、錘台状の反射鏡を設けるとともに、前記柱体の上部に、平面反射板を設けたことを特徴とする照明器具。
【請求項２】
前記発光素子を線状に配置し、前記器具本体の斜め下向に向けて光を放射するようにしたことを特徴とする請求項１に記載の照明器具。
【請求項３】
前記発光素子の周りにグローブを設け、
前記発光素子の光軸を前記グローブの上下方向略中央に向け、
前記グローブに、前記発光素子から放射される直接光と、錘台状の前記反射鏡及び前記平面反射板で反射された反射光とを、水平方向に拡げて放射させるプリズム部を形成したことを特徴とする請求項１又は２に記載の照明器具。
【発明の詳細な説明】
【技術分野】
【０００１】
本発明は、発光素子を備えた照明器具に関する。
【背景技術】
【０００２】
従来、器具本体内にランプ等の光源を備えた照明器具が知られている。また近年、発光素子の高輝度化に伴い、小型、低消費電力、長寿命等の特性を有するＬＥＤ等の発光素子を光源として備える照明器具が種々提案されている（例えば、特許文献１参照）。この照明器具では、反射性を有する柱状の支持基板の周囲に発光素子を取り付けている。
【先行技術文献】
【特許文献】
【０００３】
【特許文献１】特開２０１２−１８１９９２号公報
【発明の概要】
【発明が解決しようとする課題】
【０００４】
特に屋外で使用される照明器具においては、器具本体の側方の周囲に亘って均等な照明を行う必要がある。
しかしながら、ＬＥＤ等の発光素子は指向性が強いため、上述した従来の構成では、均等な配光を得ることができなかった。
本発明は、上述した事情に鑑みてなされたものであり、器具本体の側方の全周囲に亘る配光を得ることが可能な照明器具を提供することを目的とする。
【課題を解決するための手段】
【０００５】
上述した目的を達成するために、本発明は、器具本体に発光素子を備えた照明器具において、前記器具本体は柱体を備え、前記柱体の側面には、周方向に複数の発光素子を取り付け、前記柱体の下部に、錘台状の反射鏡を設けるとともに、前記柱体の上部に、平面反射板を設けたことを特徴とする。
【０００６】
上述の構成において、前記発光素子を線状に配置し、前記器具本体の斜め下向に向けて光を放射するようにしてもよい。
上述の構成において、前記発光素子の周りにグローブを設け、前記発光素子の光軸を前記グローブの上下方向略中央に向け、前記グローブに、前記発光素子から放射される直接光と、錘台状の前記反射鏡及び前記平面反射板で反射された反射光とを、水平方向に拡げて放射させるプリズム部を形成してもよい。
【発明の効果】
【０００７】
本発明によれば、器具本体は柱体を備え、柱体の側面には、周方向に複数の発光素子を取り付け、柱体の下部に、錘台状の反射鏡を設けるとともに、前記柱体の上部に、平面反射板を設けたため、器具本体の側方の全周囲に亘って照明できる。
【図面の簡単な説明】
【０００８】
【図１】本発明の実施形態に係る屋外用照明器具を示す斜視図である。
【図２】屋外用照明器具を示す図であり、（Ａ）は平面図、（Ｂ）は正面図、（Ｃ）は底面図である。
【図３】グローブ内を可視化した屋外用照明器具を示す正面図である。
【図４】屋外用照明器具を示す分解斜視図である。
【図５】図２のＶ−Ｖ断面図である。
【図６】図２のＶＩ−ＶＩ断面図である。
【図７】図７は蓋体を外した屋外用照明器具を示す平面図である。
【図８】屋外用照明器具を、一部をカットして示す斜視図である。
【図９】セードを下方から示す斜視図である。
【図１０】一つの反射板を外したセードを示す斜視図である。
【図１１】一つの反射板及び固定具を外したセードを示す斜視図である。
【図１２】グローブを示す断面図である。
【発明を実施するための形態】
【０００９】
以下、図面を参照して本発明の実施形態について説明する。ここでは、照明器具の一例として、屋外で使用される屋外用照明器具について説明する。
図１は、実施形態に係る屋外用照明器具を示す斜視図である。図２は屋外用照明器具を示す図であり、図２（Ａ）は平面図、図２（Ｂ）は正面図、図２（Ｃ）は底面図である。図３はグローブ内を可視化した屋外用照明器具を示す正面図である。図４は、屋外用照明器具を示す分解斜視図である。
屋外用照明器具１は、図１〜図３に示すように、屋外に立設されたポール（支柱）２の頂部に設けられる器具本体３を有している。器具本体３は、ポール２の頂部が挿入されるホルダ４を有している。このホルダ４は、例えばアルミダイカスト等の熱伝導性に優れた素材を、底部４Ａから上端部４Ｂにかけて緩やかに拡径する略円錐台状に形成して構成され、底部４Ａには、上記ポール２の頂部が挿入されている。
【００１０】
ホルダ４の上端部４Ｂは略偏平に形成され、この上端部４Ｂ上には、図３及び図４に示すように、電源装置（電源部）５が取り付けられている。また、上端部４Ｂ上には、電源装置５を跨ぐように逆Ｖ字状に形成された支持体６がねじで固定されており、この支持体６の頂上部６Ａに、光源部７を有するセード２０が支持されている。そして、下端が上端部４Ｂと略同径に形成され高さ方向に緩やかに拡径する略円筒状のグローブ８が、光源部７を覆うようにホルダ４に取り付けられている。このグローブ８は、例えばポリカーボネート等の光透過性を有する樹脂材、或いは、ガラス材から透明又は半透明に形成されている。
【００１１】
器具本体３は、グローブ８とホルダ４との間、及び、グローブ８とセード２０との間を水密にシールすることで、防水構造に構成されている。
詳述すると、上端部４Ｂにはシール部材としての環状のパッキン９が全周に亘って嵌め込まれており、パッキン９にグローブ８の下端が密着することで、グローブ８とホルダ４とが水密にシールされる。
また、セード２０の周縁にはシール部材としての環状のパッキン１０（図５）が全周に亘って嵌め込まれており、パッキン１０にグローブ８の上端が密着することで、グローブ８とセード２０とが水密にシールされる。
【００１２】
次いで、電源装置５について詳述する。
ホルダ４は、図４に示すように、ポール２の頂部が挿入される略筒状の挿入部４Ｃを備え、この挿入部４Ｃの上端部上に電源装置５が取り付けられている。電源装置５は、熱伝導性材で形成した電源取付板５Ａ上に、電子部品が実装される電源基板５Ｂを取り付けて構成されている。電源取付板５Ａは、挿入部４Ｃの上端部を塞ぐ大きさに形成されており、この電源取付板５Ａによってポール２の頂部が塞がれることとなる。このように、電源装置５をポール２の頂部を閉塞させて設けたため、電源装置５自体でポール２の頂部を閉塞するという簡素な構成で、電源装置５を容易に防湿構造にすることができる。また、電源装置５を器具本体３に固定する固定具を別途必要としないため、電源装置５を器具本体３内にコンパクトに配置できる。しかも、ポール２の頂部を挿入する略筒状の挿入部４Ｃを設け、挿入部４Ｃの上端部上に当該上端部を閉塞させて電源装置５を配置したため、電源装置５を器具本体３に予め固定できるので、屋外用照明器具１をポール２に容易に設置できる。
【００１３】
挿入部４Ｃの上端部にはシール部材としてのパッキン１１が全周に亘って嵌め込まれ、電源取付板５Ａは、パッキン１１を介して挿入部４Ｃの上端部にねじで固定される。このパッキン１１により、電源取付板５Ａと挿入部４Ｃの上端部とが水密にシールされるので、電源装置５を確実に防湿構造にすることができる。
【００１４】
また、電源取付板５Ａには、挿入部４Ｃの内側の位置に、貫通孔１２Ａが形成され、この貫通孔１２Ａにはフィルタ１２が設けられている。フィルタ１２は、塵埃の他、水及び水蒸気を透過しない水蒸気非透過性のフィルタを備えて構成されており、このフィルタ１２によって貫通孔１２Ａを通る空気の塵埃や、水蒸気が除去される。電源取付板５Ａに貫通孔１２Ａを形成し、貫通孔１２Ａにフィルタ１２を設けることで、器具本体３が防水構造であっても、器具本体３内の空気が貫通孔１２Ａを介して流通する。すなわち、光源部７の点灯時には、光源部７の発熱によって、器具本体３内の空気が加熱されて膨張するので、器具本体３内の空気は貫通孔１２Ａからポール２内に排出される。一方、光源部７の消灯時には、光源部７の発熱によって加熱されて膨張した空気が、外部の大気温度等によって冷却されて収縮するので、ポール２内の空気が貫通孔１２Ａから器具本体３に入り込むこととなる。このフィルタ１２により、電源装置５の熱をポール２に放熱できるので、電源装置５を効果的に冷却できる。また、電源装置５の熱が器具本体３内に籠もり難くなるので、光源部７への電源装置５の熱の影響を抑制できる。
【００１５】
さらに、電源取付板５Ａには、挿入部４Ｃの内側の位置に、電源線引込孔１３Ａが開口し、この電源線引込孔１３Ａを通じて外部からの電源線がポール２の内部から器具本体３の内部に引き込まれる。このとき電源線引込孔１３Ａをシールするために、この電源線引込孔１３Ａにブッシング１３を嵌合し、このブッシング１３に配線が通される。器具本体３内に導かれた外部からの電源線は電源装置５に接続され、電源装置５からの延びる配線（不図示）は、支持体６の頂上部６Ａに設けたコネクタ１４に接続されている。
【００１６】
次いで、セード２０について詳述する。
図５は図２のＶ−Ｖ断面図であり、図６は図２のＶＩ−ＶＩ断面図である。図７は、蓋体を外した屋外用照明器具１を示す平面図である。図８は、屋外用照明器具１を、一部をカットして示す斜視図である。図９は、セード２０を下方から示す斜視図である。
セード２０は、アルミダイカスト等の熱伝導性に優れた素材で形成され、図４に示すように、グローブ８の上端を覆う略円盤状のセード本体２１と、セード本体２１からグローブ８の内部に略筒状に延出する柱体２２とを一体に備えて構成されている。セード本体２１は、略平面状且つ略円形状な上面２０Ａの周縁に、下方に延びる縁部２０Ｂを備えている。柱体２２の側面には、光源部７を構成する複数の光源ユニット３０が周方向に取り付けられている。
【００１７】
セード本体２１の上面２０Ａには凹部２３が形成され、セード２０は、凹部２３の底部２３Ａで支持体６の頂上部６Ａに支持されている。底部２３Ａには、コネクタ１４を凹部２３に露出するコネクタ孔２３Ｂが形成されている。凹部２３には、光源ユニット３０からの配線が導かれ、コネクタ１４に接続される。このように、セード２０の上面に凹部２３を設けたため、凹部２３に電源装置５の配線と光源ユニット３０の配線を結線する結線スペースを設けることができる。また、セード２０を、凹部２３の底部２３Ａで支持体６を受ける構成としたため、セード２０に支持体６の固定部を容易に形成できるとともに、凹部２３に電源装置５の配線と光源ユニット３０の配線を結線する結線スペースを設けることができる。
セード本体２１の上面２０Ａには、シール部材としてのパッキン１５が凹部２３の全周に亘って嵌め込まれ、上面２０Ａには、凹部２３を覆う蓋体２８が環状のパッキン１５を介して取り付けられる。パッキン１５に蓋体２８が密着することで、蓋体２８とセード本体２１とが水密にシールされる。
【００１８】
柱体２２は、図５及び図６に示すように、略筒状の内壁２２Ａと、この内壁２２Ａと空間Ｑ（図８）を空けて配置される略筒状の外壁２２Ｂとを備え、内壁２２Ａの内部には支持体６が位置している。内壁２２Ａは上端と下端が略同一の大きさに形成され、外壁２２Ｂは上端から下端にかけて縮径しており、柱体２２は逆錘台状に形成されている。外壁２２Ｂの外周面（側面）には、上下に延びる平面状の取付部（側面）２２Ｂ１を複数有し、各取付部２２Ｂ１には、光源部７を構成する光源ユニット３０が設けられている。本実施形態では、柱体２２の周方向に、４つの取付部２２Ｂ１が９０°で等間隔に配置されるとともに、４つの取付部２２Ｂ１のうち１つの取付部２２Ｂ１に対して１２０°で２つの取付部２２Ｂ１が等間隔に配置され、計６つの取付部２２Ｂ１が形成されている。光源ユニット３０を４つ設ける場合には、９０°で等間隔に配置された４つの取付部２２Ｂ１を用い、光源ユニット３０を３つ設ける場合には、１２０°で等間隔に配置された３つの取付部２２Ｂ１を用いる。
【００１９】
このように、セード２０に連絡した柱体２２に光源ユニット３０を取り付ける取付部２２Ｂ１を形成したため、光源ユニット３０の熱をセード２０から放熱できるので、放熱性を向上できる。さらに、セード２０は柱体２２と一体に形成したため、部品点数を削減し製造工程を簡素化できるとともに、柱体２２に伝熱した光源ユニット３０の熱を効率良くセード２０に伝熱できるので、放熱性をより向上できる。また、光源ユニット３０の取付部２２Ｂ１は、セード２０から支持体６の周りに延びた柱体２２の側面に形成したため、光源ユニット３０の周囲にセード２０の支持体６が位置しないので、支持体６によって光源ユニット３０の光が遮られることを防止できる。また、光源ユニット３０の周囲にセード２０の支持体６が位置しないため、意匠性に優れる。
【００２０】
内壁２２Ａと外壁２２Ｂとの間には、複数の放熱フィン２４Ａが形成されている。放熱フィン２４Ａは、図７及び図８に示すように、９０°で等間隔に配置された４つの取付部２２Ｂ１に対応する位置に複数個ずつ設けられて、取付部２２Ｂ１に放熱フィンユニット２４を構成している。放熱フィン２４Ａは、平面状の取付部２２Ｂ１に略垂直に設けられており、これにより、放熱フィンユニット２４間に空間Ｒを設けている。放熱フィン２４Ａは、凹部２３の底部２３Ａからセード本体２１の上面２０Ａに向けて傾斜して形成されており、この傾斜により、凹部２３が比較的大きく形成されている。また、放熱フィン２４Ａを傾斜させることにより、放熱フィン２４Ａと蓋体２８（図６）とを離間させているため、凹部２３と空間Ｒとが連通している。
【００２１】
柱体２２の下部には、図８に示すように、内壁２２Ａと外壁２２Ｂを貫通する通気孔（開口）２５が、柱体２２の周方向に複数形成されている。通気孔２５は、上下に細長く形成され、９０°で等間隔に配置された４つの取付部２２Ｂ１に対応する位置に配置されている。これらの通気孔２５により、内壁２２Ａの内部と、内壁２２Ａ及び外壁２２Ｂ間の空間Ｑと、外壁２２Ｂの外部であってグローブ８の内部の空間Ｓとが連通し、グローブ８内で熱気が循環する。
また、外壁２２Ｂの上部には、空間Ｒに対応する位置に、外壁２２Ｂを貫通する貫通孔（開口）２６が形成されている。貫通孔２６は、略矩形状に形成されている。この貫通孔２６によっても、外壁２２Ｂの内部の空間Ｑと、外壁２２Ｂの外部の空間Ｓとが連通し、グローブ８内で熱気が循環する。なお、図８中、実線矢印は比較的温度の高い熱気の動きを、一点鎖線矢印は比較的温度の低い熱気の動きを示す。
【００２２】
このように、柱体２２に、グローブ８内で熱気を循環させる通気孔２５及び貫通孔２６を設けたため、グローブ８内に柱体２２を設けても、グローブ８内の熱気を循環させることができるので、グローブ８内を略均一の温度にすることができる。その結果、光源部７の熱が内壁２２Ａの内部や内壁２２Ａ及び外壁２２Ｂ間の空間Ｑに籠もることを防止し、光源部７の熱を効果的に放熱できる。
【００２３】
次いで、光学（反射）部材について詳述する。
図１０は、一つの反射板を外したセード２０を示す斜視図である。
柱体２２の下部（一端）には、図８に示すように、上端１７Ａが柱体２２の下部と略同等の大きさに形成され高さ方向に緩やかに拡径する略円錘台状の反射鏡１７が設けられている。反射鏡１７は、外周面に反射面を有し、上端１７Ａが柱体２２の下部にねじで固定されて支持されている。反射鏡１７は、下端に、柱体２２の軸方向に延びる縁部１７Ｂを備えている。縁部１７Ｂはホルダ４の上端部４Ｂ近傍に延出しており、反射鏡１７の内部に電源装置５が内蔵されることとなる。このように、電源装置５の上方に光源部７を配置するとともに、光源部７の下方に、電源装置５を覆う錘台状の反射鏡１７を設けたため、電源装置５が露出しないので、意匠性に優れる。
【００２４】
また、反射鏡１７の上端１７Ａと、下端の縁部１７Ｂは開口部１７Ｃ，１７Ｄとなっており、支持体６（図６）は、これらの開口部１７Ｃ，１７Ｄを貫通して、反射鏡１７内に位置している。このように、支持体６の周りに反射鏡１７を設けたため、反射鏡１７の周囲に支持体６が位置しないので、支持体６によって反射鏡１７の反射光が遮られることを防止できる。また、反射鏡１７の周囲に支持体６が位置しないため、意匠性に優れる。
なお、本実施形態では、反射鏡１７を柱体２２に固定したが、固定する位置は限定されるものではなく、例えば、ホルダ４に固定してもよい。
【００２５】
柱体２２の上部（他端）には、図９に示すように、各光源ユニット３０に対応して、複数の反射板（平面反射板）１８が設けられている。反射板１８は、平面視で略六角形状に形成され、柱体２２の外壁２２Ｂとセード２０の縁部２０Ｂとの間に配置されている。この反射板１８は、略平面状の反射面を有し、この反射面がセード２０の上面２０Ａと略平行になるように配置されている。セード本体２１の下面には、図１０に示すように、反射板１８の取付面を構成するボス２７が設けられており、反射板１８は、ボス２７にねじで固定されて、セード本体２１の下面から離間して配置されている。また、反射板１８は、光源ユニット３０を避ける切り欠き部１８Ａを有し、外壁２２Ｂに近接して配置されている。
なお、本実施形態では、反射板１８を分割して形成したが、反射板１８を一体に形成してもよい。
【００２６】
次いで、光源部７について詳述する。
図１１は、一つの反射板１８及び固定具を外したセード２０を示す斜視図である。図１２は、グローブ８を示す断面図である。
光源部７は、上述したように複数の光源ユニット３０を備えて構成されている。各光源ユニット３０は、図１０に示すように、複数の発光素子３１を上下に連結して構成されており、本実施形態では発光素子３１の連結数を３としている。この光源ユニット３０は、高熱伝導性材から形成された基板３２に発光素子３１をマウントして形成した発光素子モジュール３３と、樹脂材等の絶縁性材料で形成された絶縁体３４とを備えて構成されている。本実施形態では、発光素子３１は多数のＬＥＤをＬＥＤ基板の上に密集配置して略四角形の面状の発光部を形成したチップオンボード（ＣＯＢ）構造の発光デバイスとして構成されている。なお、発光素子３１は、ＣＯＢ型ＬＥＤに代えて、他の構造のＬＥＤ、或いは有機ＥＬ等の他の発光素子を用いても良いことは勿論である。
発光素子モジュール３３は、絶縁体３４に取り付けられている。光源ユニット３０は、絶縁体３４を柱体２２の取付部２２Ｂ１に接触させて配置され、固定金具１９によって取付部２２Ｂ１に固定されている。
【００２７】
固定金具１９は、図１１に示すように、取付部２２Ｂ１の側方両側に延在する棒状体１９Ａと、棒状体１９Ａの上端を連結する連結体１９Ｂとを一体に備えて略コ字状に形成されている。各棒状体１９Ａの下端には、柱体２２の外壁２２Ｂに係合するフック１９Ｃが一体に形成され、各棒状体１９Ａの下端及び上下方向中央部には、光源ユニット３０を取付部２２Ｂ１に押さえる押さえ部（付勢部材）１９Ｄが一体に形成されている。押さえ部１９Ｄは、棒状体１９Ａから棒状体１９Ａ間に略Ｕ字状に湾曲して付勢力を有するばね板である。この押さえ部１９Ｄの先端部には、絶縁性材料からなる絶縁キャップ（不図示）が取り付けられている。また、棒状体１９Ａには、取付部２２Ｂ１側に突出する細長いリブ１９Ｅが一体に形成されている。
【００２８】
取付部２２Ｂ１の上下方向中央部には、絶縁体３４側方両側に、係合孔２２Ｂ２が形成されている。セード本体２１には、取付部２２Ｂ１の上方位置に、固定金具１９を固定する固定面２２Ｂ３がセード２０の上面２０Ａと略平行に形成されている。また、取付部２２Ｂ１の上部には、絶縁体３４側方両側に、位置決め溝２２Ｂ４が形成されている。
【００２９】
光源ユニット３０を取付部２２Ｂ１に固定する際には、セード２０は上面２０Ａを下にして配置され、光源ユニット３０が取付部２２Ｂ１にあてがわれ、固定金具１９が光源ユニット３０の上から取付部２２Ｂ１に配置される。このとき、固定金具１９は、フック１９Ｃを係合孔２２Ｂ２に係合して、リブ１９Ｅを位置決め溝２２Ｂ４に配置し、連結体１９Ｂを固定面２２Ｂ３にねじで固定することで、取付部２２Ｂ１に固定される。これにより、押さえ部１９Ｄが光源ユニット３０の基板３２に当接するので、光源ユニット３０は、基板３２が固定金具１９の押さえ部１９Ｄに付勢されて取付部２２Ｂ１に固定される。
【００３０】
このように、光源ユニット３０を、絶縁体３４を介して取付部２２Ｂ１に配置し、付勢部材を有する固定金具１９によって固定する構成としたため、光源ユニット３０を取付部２２Ｂ１に接着する必要がなくなるので、光源ユニット３０を容易に着脱できる。また、固定金具１９の固定面２２Ｂ３を、セード２０の上面２０Ａと略平行に形成したため、光源ユニット３０を固定する際には、固定面２２Ｂ３が水平となる。これにより、固定金具１９のねじを下向きで固定できるので、固定金具１９の固定面２２Ｂ３を垂直又は傾斜して設ける場合に比べ、固定金具１９を容易に固定できる。
光源ユニット３０の配線は、連結体１９Ｂと取付部２２Ｂ１との間の隙間を通って反射板１８の裏面側に引き込まれ、外壁２２Ｂに形成した配線引込孔２９から凹部２３に引き込まれる。
【００３１】
次に、屋外用照明器具１の配光について説明する。
図１２は、屋外用照明器具１の配光を示す説明図である。
屋外用照明器具１では、図５に示すように、逆錐台状の柱体２２の側面に複数の光源ユニット３０を周方向に均等に取り付けるとともに、柱体２２の下端（下部）に錘台状の反射鏡１７を設け、柱体２２の上端（上部）に複数の平面状の反射板１８を設けている。錘台状の反射鏡１７及び平面状の反射板１８により、逆錐台状の柱体２２に配置した光源ユニット３０の光を器具本体３の側方の全周囲に反射できるので、器具本体３の側方の全周囲に亘って照明できる。また、発光素子３１を線状に配置したため、柱体２２の軸方向に比較的長い配光が得られるので、器具本体３の側方の全周囲に亘って比較的広く照明できる。また、発光素子３１（図１０）を逆錐台状の柱体２２に配置することで、発光素子３１を器具本体３の斜め下向に向けて光を放射するように配置したため、器具本体３の上方への配光を押さえて、器具本体３の側方の全周囲に亘って比較的広く照明できる。光源ユニット３０は、発光素子３１（図１０）の光軸Ｆをグローブ８の上下方向略中央に向けて配置されている。屋外用照明器具１からは、発光素子３１から放射される直接光Ｋ１と、錘台状の反射鏡１７で反射された反射光Ｋ２と、複数の反射板１８で反射された反射光Ｋ３とがグローブ８を介して放射される。
【００３２】
また、グローブ８は、図１２に示すように、その外面８Ａは略円形に形成されている。また、グローブ８、内面８Ｂに、外面８Ａに対して傾斜する一対の傾斜面８Ｃ１を有する断面三角状のプリズム部８Ｃを、グローブ８の周方向に複数備えている。プリズム部８Ｃは、グローブ８の上端から下端に亘って設けられており、水平断面において、傾斜面８Ｃ１が形成する頂部８Ｃ２を同一円状に有するように形成されている。このプリズム部８Ｃにより、図１２に矢印で示すように、発光素子３１から放射される直接光Ｋ１と、錘台状の反射鏡１７で反射された反射光Ｋ２と、複数の反射板１８で反射された反射光Ｋ３とを横方向（水平方向）、すなわち、器具本体３の周方向に拡げて放射させることができるので器具本体３の側方の全周囲に亘って比較的広く照明できる。
【００３３】
以上説明したように、本実施形態によれば、器具本体３は柱体２２を備え、柱体２２の側面には、周方向に複数の発光素子３１を取り付け、柱体２２の下部に、錘台状の反射鏡１７を設けるとともに、柱体２２の上部に、平面状の反射板１８を設ける構成とした。これらの錘台状の反射鏡１７及び平面状の反射板１８により、発光素子３１の光を器具本体３の側方の全周囲に反射できるので、器具本体３の側方の全周囲に亘って照明できる。
【００３４】
また、本実施形態によれば、発光素子３１を線状に配置したため、柱体２２の軸方向に比較的長い配光が得られるので、器具本体３の側方の全周囲に亘って比較的広く照明できる。また、発光素子３１を器具本体３の斜め下向に向けて光を放射するように配置したため、器具本体３の上方への配光を押さえて、器具本体３の側方の全周囲に亘って比較的広く照明できる。
【００３５】
また、本実施形態によれば、発光素子３１の周りにグローブ８を設け、前記発光素子の光軸を前記グローブの上下方向略中央に向け、グローブ８に、発光素子３１から放射される直接光Ｋ１と、錘台状の反射鏡１７及び平面状の反射板１８で反射された反射光Ｋ２，Ｋ３とを、水平方向に拡げて放射させるプリズム部８Ｃを形成する構成とした。この構成により、発光素子３１の光が器具本体３の周方向に広がって照射されるので、器具本体３の側方の全周囲に亘って比較的広く照明できる。
【００３６】
但し、上述の実施形態は本発明の一態様であり、本発明の趣旨を逸脱しない範囲において適宜変更可能であるのは勿論である。
例えば、上述の実施形態では、電源装置５を、パッキン１１を介して固定したが、パッキン１１は省略してもよい。
また、上述の実施形態では、電源装置５をホルダ４の挿入部４Ｃを閉塞させて設けたが、電源装置５は、ポール２の頂部を閉塞するように設けてもよい。この場合、電源装置５とポール２との間にシール部材としての環状のパッキンを設けてもよい。
【００３７】
また、上述の実施形態では、フィルタ１２は、電源装置５の電源取付板５Ａに設けたが、フィルタ１２の位置はこれに限定されるものではなく、例えば、ホルダ４、グローブ８、又はセード２０に設けてもよい。
【００３８】
また、上述の実施形態では、グローブ８内で熱気を循環させる通気孔２５及び貫通孔２６を設けたが、通気孔２５及び貫通孔２６の一方を設けてもよい。通気孔２５及び貫通孔２６の形状及び配置位置は任意に変更可能である。
【００３９】
また、上述の実施形態では、セード２０のセード本体２１と柱体２２を一体に形成したが、セード本体２１と柱体２２を別体に形成してもよい。この場合、柱体２２はセード本体２１に固定してもよいし、支持体６に固定してもよい。
また、上述の実施形態では、外壁２２Ｂを上端から下端にかけて縮径させて傾斜して設けたが、外壁２２Ｂをセード２０の上面２０Ａに対して垂直に設けてもよい。
【００４０】
また、上述の実施形態では、発光素子３１を上下に連結して線状に配置したが、発光素子３１を単体で設けてもよい。また、発光素子３１の配置は線状に限定されるものではない。
【００４１】
また、上述の実施形態では、グローブ８にプリズム部８Ｃを設けたが、プリズム部８Ｃは省略してもよい。
【００４２】
また、上述の実施形態では、照明器具を屋外用照明器具として説明したが、本発明は、本発明は、屋外或いは屋内で使用される各種の照明器具に適用可能であることは勿論である。
【符号の説明】
【００４３】
１  屋外用照明器具（照明器具）
３  器具本体
８  グローブ
８Ｃ  プリズム部
１７  反射鏡
１８  反射板（平面反射板）
２２  柱体
３０  光源ユニット
３１  発光素子
【図１】
2015167089.tif 000003
【図２】
2015167089.tif 000004
【図３】
2015167089.tif 000005
【図４】
2015167089.tif 000006
【図５】
2015167089.tif 000007
【図６】
2015167089.tif 000008
【図７】
2015167089.tif 000009
【図８】
2015167089.tif 000010
【図９】
2015167089.tif 000011
【図１０】
2015167089.tif 000012
【図１１】
2015167089.tif 000013
【図１２】
2015167089.tif 000014